(57)【特許請求の範囲】
【請求項１】
大型容器の底部と中間脚部と端部脚部とにより囲まれた凹部に嵌合取着される大型容器用補強部材であって、該補強部材が、底板と該底板の一方の相対する縁から略垂直に上方に延在する側板とからなる樋状部及び天板と該天板の一方の相対する縁から略垂直に下方に延在するとともに、ボルト挿入孔が穿設された垂直取り付け板とからなる蓋部とを有しており、且つ、前記樋状部の側板と該側板より外側に位置する前記蓋部の垂直取り付け板との間には、所定の間隙が形成されていることを特徴とする大型容器用補強部材。
【請求項２】
垂直保護板と、該垂直保護板の下端縁から下方に傾斜して延在する傾斜板と、前記垂直保護板の上端縁から略水平に延在するとともに、ボルト挿入孔が穿設された水平取り付け板とからなる側壁用補強部材を有し、且つ、前記蓋部の天板の一方の端部に、前記傾斜板の下端が位置するように構成されていることを特徴とする請求項１に記載の大型容器用補強部材。
【発明の詳細な説明】
【０００１】
【発明の属する技術分野】
本発明は、種々の物品の保管や運搬等に使用される大型容器、特に、合成樹脂で一体成形された大型容器に取着される大型容器用補強部材に関するものである。
【０００２】
【従来の技術】
図１１を用いて、一例としての大型容器Ｃ及び従来の大型容器用補強部材（以下、単に、補強部材ともいう。）Ｈ’について説明する。
【０００３】
大型容器Ｃは、平面形状が略方形状の底部１と底部１の各辺から上方に略垂直状に延在する４つの側壁２とにより、上方が開口３された箱型容器に形成されている。底部１の下面には、一方の相対する側壁２に平行で、且つ、底部１の中間に位置する中間脚部４ａと、中間脚部４ａに平行で、前記一方の相対する側壁２に沿って延在するとともに、中間脚部４ａを挟んで配置された一対の端部脚部４ｂとが形成されており、底部１と中間脚部４ａと端部脚部４ｂとにより囲まれた空間部により、後述する補強部材嵌合用の一対の凹部５が形成されている。大型容器Ｃの底部１の下面には、交差状にリブ１ａが垂設されており、また、側壁２にも、外側に向かって、縦方向及び横方向に延在するリブ２ａが、適宜、形成されている。更に、中間脚部４ａにも、適宜、縦方向及び横方向に延在するリブ４ａ１が形成されており、また、端部脚部４ｂにも、適宜、縦方向及び横方向に延在するリブ４ｂ１が形成されている。
【０００４】
Ｈ’は、金属製板材を、適宜、切断、折曲、溶接して、角筒状に組み立てられた金属製の補強部材であり、補強部材Ｈ’は、上述した補強部材嵌合用凹部５に嵌入される。そして、中間脚部４ａに形成されたリブ４ａ１や端部脚部４ｂに形成されたリブ４ｂ１に穿設されたボルト挿入孔及び補強部材Ｈ’の垂直部ｈ１に穿設されたボルト挿入孔にボルト６を挿入するとともに、ボルト６にナット７を螺合させることにより、補強部材Ｈ’を、大型容器Ｃに取着するように構成されている。このようにして、大型容器Ｃの補強部材嵌合用凹部５に嵌合され取着された角筒状の補強部材Ｈ’の内部空間が、フォークリフト等のフォークが挿入されるフォーク挿入孔を形成することになる。
【０００５】
大型容器Ｃに取着された角筒状の補強部材Ｈ’の内部空間に、フォークリフト等のフォークを差し込んで、大型容器Ｃを搬送したり、或いは、補強部材Ｈ’の内部空間にフォークを挿通し、フォークを上昇させた後に、フォークを反転させて、大型容器Ｃの開口を下方に向け、大型容器Ｃをひっくり返すことにより、大型容器Ｃに収容されている物品を排出したり、更には、補強部材Ｈ’の内部空間に、フォークの先端部を挿通し、その後、フォークを上昇させることにより、大型容器Ｃの一方を持ち上げて、大型容器Ｃを傾斜させたり、更に、フォークを上昇させて、大型容器Ｃの開口が横を向くように、大型容器Ｃを横倒しすることができるように構成されている。このような補強部材Ｈ’が取着された大型容器Ｃは、一例として、特許第２８７８５９６号公報等に開示されている。
【０００６】
【発明が解決しようとする課題】
上述した従来の大型容器Ｃに取着された補強部材Ｈ’の内部空間内には、補強部材Ｈ’を大型容器Ｃに取着するためのボルト６の頭部６ａが突出しているために、補強部材Ｈ’の内部空間に、フォークを挿通するフォーク挿通作業の際に、フォークが、ボルト６の頭部６ａに当接して、ボルト６が破損するという問題があった。
【０００７】
また、フォークを、補強部材Ｈ’の内部空間に挿通するフォーク挿通作業の際に、フォークが、補強部材Ｈ’の内部空間に挿通されずに、誤って、大型容器Ｃの側壁２に当接し、大型容器Ｃが損傷するという問題があった。
【０００８】
本発明の目的は、上述する従来の大型容器用補強部材が有する課題を解決することにある。
【０００９】
【課題を解決するための手段】
本発明は、上述した目的を達成するために、第１には、大型容器の底部と中間脚部と端部脚部とにより囲まれた凹部に嵌合取着される大型容器用補強部材であって、該補強部材が、底板と該底板の一方の相対する縁から略垂直に上方に延在する側板とからなる樋状部及び天板と該天板の一方の相対する縁から略垂直に下方に延在するとともに、ボルト挿入孔が穿設された垂直取り付け板とからなる蓋部とを有しており、且つ、前記樋状部の側板と該側板より外側に位置する前記蓋部の垂直取り付け板との間に、所定の間隙が形成されているものであり、第２には、垂直保護板と、該垂直保護板の下端縁から下方に傾斜して延在する傾斜板と、前記垂直保護板の上端縁から略水平に延在する水平取り付け板とからなる側壁用補強部材を有し、且つ、前記蓋部の天板の一方の端部に、前記傾斜板の下端が位置するように構成したものである。
【００１０】
【実施例】
以下に、本発明の実施例について説明するが、本発明の趣旨を越えない限り何ら、本実施例に限定されるものではない。なお、本発明の大型容器用補強部材が取着される一例としての大型容器Ｃは、上述したものとその構成が同じであるので、大型容器Ｃを構成する各構成部材には同じ符号を使用するとともに、その詳細な説明は省略する。
【００１１】
先ず最初に、図１〜図４を用いて、本発明の一実施例について説明する。
【００１２】
大型容器Ｃの補強部材嵌合用凹部５に取着される補強部材（以下、単に、凹部用補強部材という。）Ｈ１は、金属板等を、適宜、略Ｕ字状に折り曲げて形成された樋状部Ｈ１’と、樋状部Ｈ１’に溶接等により取着される、樋状部Ｈ１’の上部開口を覆う逆Ｕ字状の蓋部材Ｈ１”とから構成されている。
【００１３】
略Ｕ字状の樋状部Ｈ１’は、底板ｈ１０と、底板ｈ１０の一方の相対する縁から、略垂直に上方に延在する側板ｈ１１とから構成されている。樋状部Ｈ１’は、上述したように、金属板の両端部を折り曲げることにより、底板ｈ１０と側板ｈ１１とを一体成形することも、また、溶接等により、底板ｈ１０に、側板ｈ１１を取着することにより形成することもできる。
【００１４】
また、蓋部材Ｈ１”は、天板ｈ１２と、天板ｈ１２の一方の相対する縁から、略垂直に下方に延在する垂直取り付け板ｈ１３とから構成されており、垂直取り付け板ｈ１３には、適当な間隔で、ボルト挿入孔ｈ１４が穿設されている。蓋部材Ｈ１”は、金属板の両端部を折り曲げることにより、天板ｈ１２と垂直取り付け板ｈ１３を一体成形することも、また、溶接等により、天板ｈ１２に、垂直取り付け板ｈ１３を取着することにより形成することもできる。
【００１５】
蓋部材Ｈ１”の天板ｈ１２の垂直取り付け板ｈ１３側の幅ｗ１は、補強部材嵌合用凹部５の幅ｗ２と、略等しく形成されており、また、樋状部Ｈ１’の側板ｈ１１の外幅ｗ３は、蓋部材Ｈ１”の天板ｈ１２の垂直取り付け板ｈ１３側の幅ｗ１より、狭く形成されている。そして、樋状部Ｈ１’の側板ｈ１１の上端に、蓋部材Ｈ１”の天板ｈ１２を載置した後、樋状部Ｈ１’の側板ｈ１１と蓋部材Ｈ１”の天板ｈ１２とを、溶接等により接合することにより、樋状部Ｈ１’と蓋部材Ｈ１”とからなる凹部用補強部材Ｈ１が形成される。凹部用補強部材Ｈ１を構成する蓋部材Ｈ１”の垂直取り付け板ｈ１３の下端ｈ１３’は、凹部用補強部材Ｈ１を構成する樋状部Ｈ１’の底板ｈ１０より、上方に位置するとともに、蓋部材Ｈ１”の垂直取り付け板ｈ１３と樋状部Ｈ１’の側板ｈ１１との間には、所定の間隙が形成されるように構成されている。樋状部Ｈ１’の長さｄ１、換言すれば、側板ｈ１１の長さｄ１と、蓋部材Ｈ１”の長さｄ２、換言すれば、垂直取り付け板ｈ１３の長さｄ２とは、同じに長さに形成されることが好ましいが、異なった長さに形成されていてもよい。なお、本実施例においては、樋状部Ｈ１’の長さｄ１と蓋部材Ｈ１”の長さｄ２とが同じ長さであり、且つ、樋状部Ｈ１’の側板ｈ１１から、蓋部材Ｈ１”天板ｈ１２が、はみ出さなように組み立てられている。
【００１６】
凹部用補強部材Ｈ１の長さＬ１、即ち、側板ｈ１１の長さｄ１或いは蓋部材Ｈ１”の長さｄ２は、本実施例においては、大型容器Ｃの補強部材嵌合用凹部５の長さＬ２の半分より短く形成されている。
【００１７】
上述した樋状部Ｈ１’と蓋部材Ｈ１”とからなる凹部用補強部材Ｈ１を、蓋部材Ｈ１”を上にして、凹部用補強部材Ｈ１の一端が、大型容器Ｃの一方の側壁２の外壁面に一致或いは近接するように、補強部材嵌合用凹部５に嵌合するとともに、中間脚部４ａに形成されたリブ４ａ１や端部脚部４ｂに形成されたリブ４ｂ１に穿設されたボルト挿入孔及び蓋部材Ｈ１”の垂直取り付け板ｈ１３に穿設されたボルト挿入孔ｈ１４にボルト６を挿入するとともに、ボルト６にナット７を螺合させることにより、凹部用補強部材Ｈ１を、大型容器Ｃに取着する。同様に、もう１つの凹部用補強部材Ｈ１の一端が、大型容器Ｃのもう一方の側壁２の外壁面に一致或いは近接するように、補強部材嵌合用凹部５に嵌合するとともに、中間脚部４ａに形成されたリブ４ａ１や端部脚部４ｂに形成されたリブ４ｂ１に穿設されたボルト挿入孔及び蓋部材Ｈ１”の垂直取り付け板ｈ１３に穿設されたボルト挿入孔ｈ１４にボルト６を挿入するとともに、ボルト６にナット７を螺合させることにより、もう１つの凹部用補強部材Ｈ１を、大型容器Ｃに取着する。このようにして、図４に示されているように、大型容器Ｃの２つの補強部材嵌合用凹部５の両端部付近に、それぞれ、２個の凹部用補強部材Ｈ１を取着する。
【００１８】
上述したようにして、大型容器Ｃの補強部材嵌合用凹部５の両端部付近に取着された凹部用補強部材Ｈ１には、樋状部Ｈ１’の底板ｈ１０と側板ｈ１１及び蓋部材Ｈ１”の天板ｈ１２とにより囲まれた内部空間が形成され、この内部空間が、フォークリフト等のフォークが挿入されるフォーク挿入孔Ｆを形成することになる。
【００１９】
上述したように、凹部用補強部材Ｈ１は、大型容器Ｃの中間脚部４ａに形成されたリブ４ａ１や端部脚部４ｂに形成されたリブ４ｂ１に穿設されたボルト挿入孔及び蓋部材Ｈ１”の垂直取り付け板ｈ１３に穿設されたボルト挿入孔ｈ１４にボルト６を挿入するとともに、ボルト６にナット７を螺合させることにより、大型容器Ｃの補強部材嵌合用凹部５に嵌合され取着されるように構成されているので、凹部用補強部材Ｈ１を構成する樋状部Ｈ１’の底板ｈ１０と側板ｈ１１及び同じく凹部用補強部材Ｈ１を構成する蓋部材Ｈ１”の天板ｈ１２とにより囲まれたフォーク挿入孔Ｆ内には、ボルト６やナット７が突出していないので、従って、フォーク挿入孔Ｆに、フォークを挿通するフォーク挿通作業の際に、フォークが、ボルト６やナット７に当接して、ボルト６やナット７が破損するようなことがない。
【００２０】
上述した実施例においては、大型容器Ｃの１つの補強部材嵌合用凹部５に、２個の凹部用補強部材Ｈ１を嵌合し取着した例が示されているが、凹部用補強部材Ｈ１の長さＬ１を、大型容器Ｃの補強部材嵌合用凹部５の長さＬ２と略同じ長さに形成し、大型容器Ｃの１つの補強部材嵌合用凹部５に、１個の凹部用補強部材Ｈ１を嵌合し取着するように構成することもできる。
【００２１】
次に、図５〜図７を用いて、本発明の別の実施例について説明する。
【００２２】
この実施例は、上述した凹部用補強部材Ｈ１に、側壁用補強部材Ｈ２を、溶接等により取着したものである。側壁用補強部材Ｈ２は、凹部用補強部材Ｈ１を構成する蓋部材Ｈ１”の天板ｈ１２の幅ｗ１と略同じ幅ｗ４を有する垂直保護板ｈ１５と、垂直保護板ｈ１５の下端縁から下方に傾斜して延在する傾斜板ｈ１６と、垂直保護板ｈ１５の上端縁の両端部から、傾斜板ｈ１６と同じ側で、且つ、略水平に延在する水平取り付け板ｈ１７とを有しており、水平取り付け板ｈ１７には、ボルト挿入孔ｈ１８が穿設されている。そして、凹部用補強部材Ｈ１を構成する蓋部材Ｈ１”の天板ｈ１２の一方の端部に、側壁用補強部材Ｈ２の傾斜板ｈ１６の下端を、側壁用補強部材Ｈ２の垂直保護板ｈ１５が、天板ｈ１２に対して、略垂直になるとともに、水平取り付け板ｈ１７が天板ｈ１２側に位置するように、溶接等により取着する。
【００２３】
上述したように、凹部用補強部材Ｈ１と側壁用補強部材Ｈ２とが一体に形成された補強部材Ｈは、上述した凹部用補強部材Ｈ１の取り付けと同様に、凹部用補強部材Ｈ１を、大型容器Ｃに形成された補強部材嵌合用凹部５に嵌合するとともに、側壁用補強部材Ｈ２の垂直保護板ｈ１５を側壁２に当接させ、且つ、側壁用補強部材Ｈ２の水平取り付け板ｈ１７を、側壁２の横方向に延在するリブ２ａに当接或いは近接させる。次いで、上述したと同様に、中間脚部４ａに形成されたリブ４ａ１や端部脚部４ｂに形成されたリブ４ｂ１に穿設されたボルト挿入孔及び凹部用補強部材Ｈ１を構成する蓋部材Ｈ１”の垂直取り付け板ｈ１３に穿設されたボルト挿入孔ｈ１４にボルト６を挿入するとともに、ボルト６にナット７を螺合させることにより、凹部用補強部材Ｈ１を、大型容器Ｃに取着する。更に、側壁２の横方向に延在するリブ２ａに穿設されたボルト挿入孔及び側壁用補強部材Ｈ２の水平取り付け板ｈ１７に穿設されたボルト挿入孔ｈ１８にボルト６を挿入するとともに、ボルト６にナット７を螺合させることにより、側壁用補強部材Ｈ２を、大型容器Ｃに取着する。このようにして、凹部用補強部材Ｈ１と側壁用補強部材Ｈ２とが一体に形成された補強部材Ｈを、大型容器Ｃに取着する。
【００２４】
上述したように、大型容器Ｃには、凹部用補強部材Ｈ１と側壁用補強部材Ｈ２とが一体に形成された補強部材Ｈが取着されているので、フォークを、凹部用補強部材Ｈ１を構成する樋状部Ｈ１’の底板ｈ１０と側板ｈ１１及び同じく凹部用補強部材Ｈ１を構成する蓋部材Ｈ１”の天板ｈ１２とにより囲まれたフォーク挿入孔Ｆ内に挿入する際に、誤って、フォークが、フォーク挿入孔Ｆの上方に位置する大型容器Ｃの側壁２に当接しても、該側壁２には、側壁用補強部材Ｈ２の垂直保護板ｈ１５が配置されているので、フォークの当接により、大型容器Ｃが損傷するというようなことが防止できる。
【００２５】
また、側壁用補強部材Ｈ２には、傾斜板ｈ１６が配設されているとともに、大型容器Ｃに側壁用補強部材Ｈ２が取着された際には、フォーク挿入孔Ｆの上部に、傾斜板ｈ１６が位置するように構成されているので、フォークが傾斜板ｈ１６に当接した場合には、傾斜板ｈ１６に案内されて、フォーク挿入孔Ｆに挿入されるので、フォークが、多少、フォーク挿入孔Ｆより上に位置していても、フォーク挿入孔Ｆに挿入されることになる。
【００２６】
図８〜図１１に示されている実施例は、補強部材Ｈを構成する凹部用補強部材Ｈ１と側壁用補強部材Ｈ２とを、上述した実施例のように、溶接等により一体とすることなく、凹部用補強部材Ｈ１と側壁用補強部材Ｈ２とを、それぞれ、別体に分割しておき、且つ、凹部用補強部材Ｈ１の長さＬ１を、大型容器Ｃの補強部材嵌合用凹部５の長さＬ２と略同じ長さに形成し、大型容器Ｃの１つの補強部材嵌合用凹部５に、１個の凹部用補強部材Ｈ１を嵌合し取着するように構成したものである。上述したように、大型容器Ｃの補強部材嵌合用凹部５に、凹部用補強部材Ｈ１を嵌合し取着するとともに、補強部材嵌合用凹部５と別体の側壁用補強部材Ｈ２を、側壁２の横方向に延在するリブ２ａに穿設されたボルト挿入孔及び側壁用補強部材Ｈ２の水平取り付け板ｈ１７に穿設されたボルト挿入孔ｈ１８にボルト６を挿入し、ボルト６にナット７を螺合させることにより大型容器Ｃに取着する。
【００２７】
上述したように、樋状部Ｈ１’の底板ｈ１０と側板ｈ１１及び蓋部材Ｈ１”の天板ｈ１２とによりフォーク挿入孔Ｆが形成されるが、フォーク挿入孔Ｆへのフォーク作業に際に、フォークの先端が、例えば、側板ｈ１１の先端ｈ１１’に当接し、フォークがスムースにフォーク挿入孔Ｆに挿入されないというようなトラブルが発生することがある。このようなトラブルを防止しするために、側板ｈ１１のフォーク挿入開口部側に位置する部分を、図１に二点鎖線で示されているように、蓋部材Ｈ１”の垂直取り付け板ｈ１３方向に傾斜させて、フォーク挿入孔Ｆを、外側に向けて、末広がり状に傾斜させるように構成する。このように構成することにより、フォークを、フォーク挿入孔Ｆにスムースに挿入することができる。
【００２８】
【発明の効果】
本発明は、以上説明した構成を有しているので、以下に記載する効果を奏するものである。
【００２９】
フォーク挿入孔を構成する天板に、垂直取り付け板が取着されているので、フォーク挿入孔内には、ボルトやナット等の固着具が突出するようなことがなく、従って、大型容器用補強部材が取着された大型容器のフォーク挿入孔にフォークを挿通するフォーク挿通作業の際に、フォークが、ボルトやナット等の固着具に当接して、ボルトやナット等の固着具が破損するようなことがない。
【００３０】
垂直保護板と、該垂直保護板の下端縁から下方に傾斜して延在する傾斜板と、前記垂直保護板の上端縁から略水平に延在する水平取り付け板とからなる側壁用補強部材を、大型容器に取着することにより、フォークを、フォーク挿入孔に挿入する際に、誤って、フォークが、フォーク挿入孔の上方に位置する大型容器の側壁に当接しても、該側壁には、側壁用補強部材が配置されているので、大型容器が損傷するというようなことが防止できる。
【００３１】
また、側壁用補強部材には、傾斜板が配設されているので、フォークが傾斜板に当接した場合には、傾斜板に案内されて、フォーク挿入孔に挿入されるので、フォークが、多少、フォーク挿入孔より上に位置していても、フォーク挿入孔に挿入されることができる。
【図面の簡単な説明】
【図１】図１は本発明の大型容器用補強部材である凹部用補強部材の斜視図である。
【図２】図２は本発明の大型容器用補強部材である凹部用補強部材と大型容器の分解斜視図である。
【図３】図３は本発明の大型容器用補強部材である凹部用補強部材が取着された大型容器の一部切り欠きを含む正面図である。
【図４】図３は本発明の大型容器用補強部材である凹部用補強部材が取着された大型容器の裏面図である。
【図５】図５は本発明の大型容器用補強部材である凹部用補強部材と側壁用補強部材の斜視図である。
【図６】図６は図５に示されている大型容器用補強部材と大型容器の分解斜視図である。
【図７】図７は図５に示されている大型容器用補強部材が取着された大型容器の部分側断面図である。
【図８】図８は本発明の別の大型容器用補強部材の斜視図である。
【図９】図９は図８に示されている大型容器用補強部材と大型容器の分解斜視図である。
【図１０】図１０は図８に示されている大型容器用補強部材が取着された大型容器の部分側断面図である。
【図１１】図１１は従来の大型容器用補強部材が取着された大型容器の一部切り欠きを含む正面図である。
【符号の説明】
Ｃ・・・・・・・・・・・・・・大型容器
Ｆ・・・・・・・・・・・・・・フォーク挿入孔
Ｈ・・・・・・・・・・・・・・大型容器用補強部材
Ｈ１・・・・・・・・・・・・・凹部用補強部材
Ｈ２・・・・・・・・・・・・・側壁用補強部材
１・・・・・・・・・・・・・・底部
２・・・・・・・・・・・・・・側壁
４ａ・・・・・・・・・・・・・中間脚部
４ｂ・・・・・・・・・・・・・端部脚部
５・・・・・・・・・・・・・・補強部材嵌合用凹部
【図１】
0004190719.tif 000002
【図２】
0004190719.tif 000003
【図３】
0004190719.tif 000004
【図４】
0004190719.tif 000005
【図５】
0004190719.tif 000006
【図６】
0004190719.tif 000007
【図７】
0004190719.tif 000008
【図８】
0004190719.tif 000009
【図９】
0004190719.tif 000010
【図１０】
0004190719.tif 000011
【図１１】
0004190719.tif 000012